(57)【特許請求の範囲】
【請求項１】
ロール紙が収納されるロール紙収納部であって、ロール紙が載置される底板部分を有するロール紙収納部と、
下端部を中心として、前記ロール紙収納部を封鎖している閉位置と当該ロール紙収納部の外側に所定角度だけ開いた開位置との間で開閉可能な開閉蓋ユニットと、
を有し、ロール紙から記録紙を引き出した状態で前記開閉蓋ユニットを前記開位置から前記閉位置に閉じると、前記ロール紙収納部から印刷ヘッドとプラテンローラとの間を経由して記録紙排出口に到る記録紙搬送路に沿って前記記録紙がセットされるロール紙プリンタにおいて、
前記開閉蓋ユニットには、前記ロール紙収納部の一部を形成する前板と、前記プラテンローラと、前記プラテンローラよりも前記下端部側に位置し前記前板の表面よりもその外周面部分が突出した保持ローラとが設けられており、
前記開閉蓋ユニットが前記閉位置にあるとき、前記開閉蓋ユニット側に傾斜した前記底板部分と前記保持ローラとによってロール紙を支持し、
前記開閉蓋ユニットが前記開位置にあるとき、前記底板部分の傾斜が大きくなることにより前記ロール紙収納部内から前記前板に向けて転がり出ようとするロール紙を前記保持ローラによって定位置で転動可能な状態に保持し、前記保持ローラは、前記ロール紙から前記記録紙が引き出される際に前記ロール紙を前記定位置で転動させることを特徴とするロール紙プリンタ。
【発明の詳細な説明】
【技術分野】
【０００１】
本発明は、ロール紙の交換およびセット作業を効率良く行うことができるように改良が施されたロール紙収納部を備えたロール紙プリンタに関するものである。
【０００２】
芯管にテープ状の記録紙がロール状に巻き付けられた構成のロール紙に印刷を行うロール紙プリンタとしては、特許文献１に開示のものが知られている。この文献に開示されているプリンタでは、プリンタ本体の上面に開閉自在に蓋体が取り付けられており、また、プリンタ本体側にプラテンローラが取り付けられ、蓋体の側にプリントヘッドが取り付けられている。蓋体を開けると、用紙収容部の上側が開放状態になり、上側からロール紙の交換作業を簡単に行うことができる。また、プリントヘッドとプラテンローラが離れるので、これらの間に用紙をセットする作業も簡単に行うことができる。
【特許文献１】特開２０００−２８９２７２号公報
【発明の開示】
【発明が解決しようとする課題】
【０００３】
このようなロール紙プリンタにおいて、ロール紙の交換が必要になった状態では、ロール紙収納部の底に、殆ど芯管のみとなったロール紙が奥側に残った状態になる。ロール紙収納部を封鎖している開閉蓋ユニットを広く開けることができれば、操作者は手をロール紙収納部に入れて取り出すことが容易である。しかし、開閉蓋ユニットを広く開けることができない場合には、底に残っている小径のロール紙を取り出すことが簡単にできない。例えば、設置場所の高さ寸法を十分に確保できない場合には、開閉蓋ユニットを広く開けることができず、ロール紙収納部の底に残っているロール紙を取り出すことが簡単にできない。
【０００４】
特に、ロール紙プリンタの高さ寸法を低減するために、プリンタ本体の前面に開閉蓋ユニットを取り付け、これを前方に開けてロール紙の交換を前方から行う場合には、ロール紙の取り出し作業が困難になる。すなわち、この場合には、前方から手を入れてロール紙収納部の底に残っているロール紙を取り出す必要がある。このようなプリンタでは、高さ寸法を低減するために、ロール紙収納部の開口高も必然的に小さくなっているので、狭い開口部を通して残り少なくなった小径のロール紙を取り出す必要があるからである。
【０００５】
また、プリンタの前面あるいは背面からロール紙の交換を行う場合には、ロール紙収納部を開けた状態においては、開閉蓋ユニットがほぼ水平に倒れている。したがって、ロール紙収納部に入れたロール紙から、そこに巻き付けられているテープ状の記録紙の端を引き出して、印字ヘッドとプラテンの間などに通すセット作業においては、ロール紙が引張られて、ロール紙収納部の底面から開閉ユニットの内側面を経由して外部に転がり出てしまう可能性がある。このため、ロール紙を押さえながら記録紙をそこから引き出す必要があり、ロール紙のセット作業を簡単に行うことができない場合がある。
【０００６】
本発明の課題は、このような点に鑑みて、ロール紙の交換作業およびセット作業を簡単に行うことができるように改良を図ったロール紙収納部を備えたロール紙プリンタを提案することにある。
【課題を解決するための手段】
【０００７】
上記の課題を解決するために、本発明のロール紙プリンタは、
ロール紙が転動可能な状態で収納されるロール紙収納部と、
下端部を中心として前記ロール紙収納部を封鎖している閉位置および、当該ロール紙収納部の外側に所定角度だけ開いた開位置の間で開閉可能な開閉蓋ユニットと、
前記開閉蓋ユニットが開位置の状態において、前記ロール紙収納部内から転がり出ようとするロール紙を定位置で転動可能な状態に保持するために、前記開閉蓋ユニットの内側面に回転自在の状態で取り付けられている保持ローラとを有していることを特徴としている。
【０００８】
開閉蓋ユニットを開けてロール紙を交換し、ロール紙収納部に入れた新たなロール紙からテープ状の記録紙を引き出す際に、ロール紙が全体として引き出されてロール紙収納部から転がり出ることがある。ロール紙はロール紙収納部の底面から開閉蓋ユニットの内側面に転がり出るが、この内側面には保持ローラが取り付けられており、ロール紙が外部に転がり出ることが当該保持ローラによって阻止される。
【０００９】
また、保持ローラは回転自在であるので、ロール紙から記録紙を引き出すと、ロール紙は当該保持ローラに当接した状態で、換言すると、定まった位置において転動する。したがって、必要長さ分の記録紙を引き出して、それを所定の経路に沿うようにセットする際に、ロール紙が外部に転がり出ることが無い。ロール紙をこのようにセットした後に、開閉蓋ユニットを閉じると、開閉蓋ユニットに押されてロール紙はロール紙収納部に収納された状態になる。
【００１０】
ここで、本発明において、前記保持ローラは、前記開閉蓋ユニットが前記閉位置の状態では、前記ロール紙収納部に収納されているロール紙を転動可能な状態で支持するローラガイドとして機能することを特徴としている。回転自在な支持ローラによって支持されているので、ロール紙に巻き付けられている記録紙を引き出す際の抵抗力を小さくすることができ、記録紙の搬送および印字動作を円滑に行うことができる。
【００１１】
また、本発明では、前記開閉蓋ユニットの開き動作に連動して、当該開閉蓋ユニットに向けて前記ロール紙収納部に収納されているロール紙を送り出すロール紙送り出し機構を有し、前記保持ローラは、前記ロール紙送り出し機構によって送り出されたロール紙が当接可能な位置に配置されていることを特徴としている。
【００１２】
前記ロール紙送り出し機構としては、前記ロール紙収納部におけるロール紙が転動可能な状態で載っている底板を前記開閉蓋ユニットの開き動作に連動して、スライドあるいは傾斜させる機構を採用することができる。
【００１３】
開閉蓋ユニットを開けると、ロール紙送り出し機構によって、ロール紙収納部からロール紙が送り出される。例えば、ロール紙収納部におけるロール紙が載っている底板がスライドあるいは傾斜し、ロール紙が開閉蓋ユニットの側に送り出される。開けた開閉蓋ユニットの側にロール紙が送り出されるので、ロール紙収納部の奥まで手を入れて殆ど芯管のみとなった小径のロール紙を取り出す必要がない。よって、ロール紙の取り出しが極めて容易になる。
【００１４】
また、開閉蓋ユニットの側に送り出されたロール紙は、当該開閉蓋ユニットの内側面に配置されている保持ローラに当接した状態で留まる。この状態でロール紙に巻き付けられている記録紙を引き出すと、ロール紙は定まった位置で転動し、外部に転がり出てしまうことがない。よって、記録紙を引き出して所定の経路に沿ってセットする作業も簡単に行うことができる。
【発明の効果】
【００１５】
本発明のロール紙プリンタでは、ロール紙収納部を開閉するための開閉蓋ユニットの内側面に回転自在の状態で保持ローラを取り付け、開閉蓋ユニットを開けた状態において、当該保持ローラによってロール紙がロール紙収納部から転がり出ないようにしている。したがって、開閉蓋ユニットを開けた状態で、ロール紙から、そこに巻き付けられている記録紙を引き出して所定の経路に沿ってセットする際に、ロール紙が外部に転がり出ることを防止できる。また、ロール紙は保持ローラによって転動可能な状態で定まった位置に保持されるので、記録紙の引き出し操作も円滑に行うことができる。
【００１６】
特に、ロール紙の交換作業を簡単に行うことができるように、ロール紙送り出し機構によってロール紙を送り出した場合には、ロール紙が外部に転がり出やすい。本発明では、送り出されたロール紙を保持ローラに当接させ、その位置で転動させるようにしている。したがって、開閉蓋ユニットを開けた際にロール紙が送り出された場合においても、ロール紙が外側に転がり出てしまうことを確実に防止できる。
【発明を実施するための最良の形態】
【００１７】
以下に、図面を参照して、本発明を適用したロール紙プリンタの実施の形態を説明する。
【００１８】
図１は本発明を適用したロール紙プリンタの外観斜視図であり、図２はその開閉蓋ユニットを開けた状態を示す外観斜視図である。
【００１９】
本実施の形態に係るロール紙プリンタ１は、プリンタ本体２と、その前面に取り付けた開閉蓋ユニット３を有しており、プリンタ本体２の前面の端には操作パネルユニット４が取り付けられている。プリンタ前面における開閉蓋ユニット３の上端部分には、プリンタ幅方向に延びる記録紙排出口５が形成されている。
【００２０】
プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４に配置されている操作レバー８を操作すると、不図示の蓋ロックが解除されて下端部を中心として図１に示す閉位置３Ａから、図２に示すように前方に倒れた開位置３Ｂまで開くようになっている。開閉蓋ユニット３が開くと、内部に形成されているロール紙収納部９の前面側が開放状態となり、ロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００２１】
図３はロール紙プリンタ１の内部を示す概略構成図であり、図４は開閉蓋ユニット３を開けた状態を示す概略構成図である。ロール紙プリンタ１の内部に形成されているロール紙収納部９は、その底面および背面を規定しているロール紙１０を転動可能な状態で収容するロール紙ホルダ１２と、その天面を規定している天板１３、および、その前面を規定している前板１４によって囲まれている。ロール紙収納部９に収納されたロール紙１０から繰り出されるテープ状の記録紙１０ａは、プラテンローラ１５と、サーマルヘッド１６の間の印刷位置を通過して前方に引き出されて、その前方に位置している記録紙排出口５から前方に排出される。記録紙排出口５の手前には鋏式の記録紙切断装置２０が配置されている。
【００２２】
記録紙切断装置２０は、プリンタ本体２の側に搭載されている固定刃２１と、開閉蓋ユニット３の側に搭載されている可動刃２２および可動刃駆動機構２３とを有している。固定刃２１は刃先２１ａが前方を向く略水平な姿勢で、プリンタ幅方向に配列されている。可動刃２２は、固定刃２１の刃先２１ａのほぼ真下の位置において、刃先２２ａが上を向く略垂直な姿勢で、プリンタ幅方向に配列されている。これらの刃先２１ａ、２２ａの間（記録紙切断位置）を通って記録紙１０ａが排出された状態において、下側の可動刃２２を上方に旋回させることにより、両刃先２１ａ、２２ａによって挟まれた記録紙１０ａの部位がプリンタ幅方向に切断される。
【００２３】
開閉蓋ユニット３には、ロール紙収納部９の前板１４と、プラテンローラ１５と、記録紙切断装置２０の可動刃２２が搭載されている。開閉蓋ユニット３を開くと、図４に示すように、ロール紙収納部９が開放状態となると共に、ロール紙収納部９から印刷位置および切断位置を経由して記録紙排出口５に到る記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００２４】
ここで、本例では、開閉蓋ユニット３を開けると、それに連動して、ロール紙収納部９のロール紙ホルダ１２が前方に傾斜させてロール紙１０を前方に送り出すロール紙送り出し機構が組み込まれており、また、送り出されたロール紙１０が外側に転がり出ないように保持するための保持ローラ２５を備えている。ロール紙送り出し機構の詳細については後述する（図５〜７参照）。
【００２５】
開閉蓋ユニット３を全開（開位置３Ｂ）にすると、ロール紙送り出し機構によって、ロール紙ホルダ１２が図３に示す収納姿勢１２Ａから、図４に示すように、その前端部の支軸６１を中心として前傾した送り出し姿勢１２Ｂになる。ロール紙ホルダ１２は、収納姿勢時において僅かに前方に傾斜している底板部分１２ａ、この後端から上方に湾曲して延びている背板部分１２ｂと、これらの底板部分１２ａおよび背板部分１２ｂのプリンタ幅方向の両端に架け渡されている左右の側板部分１２ｃ、１２ｄとを備えている。開閉蓋ユニット３を開けると、底板部分１２ａの傾斜が大きくなり、当該底板部分１２ａに乗っているロール紙１０が当該底板部分１２ａに沿って前方に転がり出てくる。
【００２６】
本例の開閉蓋ユニット３においては、そこに取り付けられている前板１４における上下方向の途中位置に、プリンタ幅方向に延びる保持ローラ２５が回転自在の状態で取り付けられている。この保持ローラ２５の外周面部分は前板１４の表面（開閉蓋ユニットの内側面）よりも突出している。開閉蓋ユニット３が開いている状態では、図４に示すように、底板部分１２ａの前方に、前板１４が前方が上になるように傾斜している。したがって、前方に送り出されたロール紙１０は、底板部分１２ａから前板１４に向けて転がり出る。しかるに、前板１４の表面からは保持ローラ２５の外周面部分が突出しているので、ロール紙１０は図４に示すように、保持ローラ２５に当たった状態で止まる。
【００２７】
この状態において、図４において矢印で示すように、ロール紙１０から、そこに巻き付けられている記録紙１０ａを引き出すと、ロール紙１０は前方に転がり出ようとする。しかしながら、ロール紙１０は回転自在の保持ローラ２５によって前方への移動が阻止されている。よって、ロール紙１０は当該保持ローラ２５に当接した位置に止まり、記録紙１０ａが引き出されると、その位置において転動する。保持ローラ２５が無い場合には、記録紙１０ａに作用する引き出し力によって、ロール紙１０は前板１４の表面に沿って前方に転がり出て、開閉蓋ユニット３から外側に転がり出るおそれがある。そのために、ロール紙１０を押えながら記録紙１０ａを引き出してセットする操作が必要となり、作業性が悪い。本例ではこのような弊害を解消できる。
【００２８】
また、開閉蓋ユニット３を閉じた状態においては、底板部分１２が僅かに前傾しているので、収納されているロール紙１０の前側の外周面部分が保持ローラ２５に当接した状態になる。したがって、ロール紙１０は、底板部分１２ａと保持ローラ２５によって支持された状態となり、記録紙１０ａを引き出す際の抵抗が低減され、記録紙１０ａを引き出す動作が円滑に行われる。このように、保持ローラ２５は、ロール紙収納状態では、ロール紙１０のローラガイドとして機能する。
【００２９】
次に、図５は本体ケース６および開閉蓋ケース７を取り外した状態でのロール紙プリンタの機構部（プリンタ本体２および開閉蓋ユニット３）を示す側面図である。図６（ａ）および（ｂ）は、さらに、内部構造を示すために想像線で示すように一方の側板を省略した状態の斜視図および側面図である。図７（ａ）および（ｂ）は、図６と同様な状態において開閉蓋ユニットを開けた場合を示す斜視図および側面図である。
【００３０】
これらの図を参照して説明すると、プリンタ本体２は、ベース板３１と、このベース板３０から垂直に起立している左右の側板３２、３３と、これら左右の側板３２、３３の後側の部位の間にプリンタ幅方向に架け渡された背面板３０とを備えている。側板３２、３３の上端の間には、ヘッド取付板３４がプリンタ幅方向に水平に架け渡されており、このヘッド取付板３４の下面に、ヘッド面１６ａが下向きのほぼ水平姿勢でサーマルヘッド１６が取り付けられている（図３、４参照）。ヘッド取付板３４の後側の部位の下側には、ロール紙収納部９の天板１３が配置されている。また、ロール紙収納部９の底板１２はベース板３１の上面に配置されている。
【００３１】
ヘッド取付板３４の上側には固定刃取付板３５がプリンタ幅方向に水平に配置されており、この固定刃取付板３５の前端部下側に記録紙切断装置２０の固定刃２１が前向きでほぼ水平に取り付けられている。固定刃取付板３５は、側板３２、３３の外側に配置されている左右の旋回板３６、３７（図においては旋回板３７のみを示す。）の上端の間に架け渡されている。旋回板３６、３７は、それらの下端部３６ａ、３７ａ（図においては下端部３７ａのみを示す。）を中心としてプリンタ前後方向に僅かに旋回可能である。記録紙切断装置２０による記録紙１０ａの切断時には、可動刃２２が下側から上方に旋回して固定刃２１を後方に押し込みながら双方の刃先２１ａ、２２ａが点接触状態で交差して、記録紙１０ａが切断される。切断時において固定刃２１を僅かに後退させるために、旋回板３６、３７によって固定刃２１が支持されている。
【００３２】
一方、開閉蓋ユニット３は、プリンタ本体２の側板３２、３３の下端部に取り付けられている支軸４１、４２を中心としてプリンタ前方に所定角度だけ開くようになっている。開閉蓋ユニット３は、前板部分４３と、この両側から後方に直角に折れ曲がっている細幅の側板部分４４、４５とを備えている。前板部分４３の前面には、記録紙切断装置２０の可動刃２２および可動刃駆動機構２３が取り付けられており、これらの部分が保護板２４によって覆われている。保護板２４の前側は開閉蓋ケース７によって覆われている（図３、４参照）。また、側板部分４４、４５にはプラテンローラ１５が回転自在の状態で架け渡されている。プラテンローラ１５の下側には、前板部分４３の背面に取り付けたロール紙収納部９の前板１４が配置されている。
【００３３】
次に、ロール紙収納部９のロール紙ホルダ１２を開閉蓋ユニット３に連動して前傾させてロール紙１０を送り出すロール紙送り出し機構を説明する。
【００３４】
ロール紙ホルダ１２は、その前端側の部位が支軸６１を中心としてプリンタ前後方向に回転自在の状態でベース板３１に載っている。また、ロール紙ホルダ１２の両側の側板部分１２ｂ、１２ｃにおける後側の部位にはスライドピン６４、６５（図においてはスライドピン６５のみを示す。）が側方に突出した状態で取り付けられている。
【００３５】
これらのスライドピン６４、６５と、背面板３０の下端側の部位との間には、それぞれ、引張りコイルばね６６、６７（図においては引張りコイルばね６７のみを示す。）が引張り状態で架け渡されている。開閉蓋ユニット３が閉状態のとき、これらの左右のコイルばね６６、６７によって、ロール紙ホルダ１２はその裏面がベース板３１に当接したほぼ水平な収納姿勢１２Ａ（図３、図６（ａ）参照）に保持されている。
【００３６】
これらのスライドピン６４、６５と、開閉蓋ユニット３の左右の側板部分４４、４５の上下方向の中程の部位に取り付けた支持ピン６８、６９との間には、それぞれ、同一形状をした板状のリンクレバー７１、７２が架け渡されている。リンクレバー７１、７２の前端部７１ａ、７２ａは、それぞれ、支持ピン６８、６９に対してプリンタ上下方向に回転自在の状態で取り付けられている。リンクレバー７１、７２の後端部分にはプリンタ前後方向に長い直線状のスライド穴７１ｂ、７２ｂが形成されており、これらに、スライドピン６４、６５がスライド可能な状態で差し通されている。また、これらのスライドピン６４、６５は、図５に示すように、左右の側板３２、３３に形成されている円弧状のガイド穴７３、７４（図においてはガイド穴７４のみを示す。）に差し通されている。ガイド穴７３、７４は、支軸６１を中心とする円弧であり、底板１２が支軸６１を中心として旋回すると、スライドピン６４、６５は、これらのガイド穴７３、７４に沿って移動する。
【００３７】
次に、ロール紙送り出し機構の動作を説明する。開閉蓋ユニット３が閉じている場合には、図３、図６に示すように、ロール紙ホルダ１２の左右のスライドピン６４、６５は左右のリンクレバー７１、７２のスライド穴７１ｂ、７２ｂの前端に位置している。また、スライドピン６４、６５は、図５に示すように、円弧状のガイド穴７３、７４における下側の端に位置している。
【００３８】
開閉蓋ユニット３を開けると、開閉蓋ユニット３の左右の側板部分４４、４５に前端部が連結されている左右のリンクレバー７１、７２も前方に移動する。ロール紙収納部９の底板１２に取り付けた左右のスライドピン６４、６５は、リンクレバー７１、７２のスライド穴７１ｂ、７２ｂの前端に位置している。リンクレバー７１、７２が所定量だけ前方に移動して、それらのスライド穴７１ｂ、７２ｂの後端がスライドピン６４、６５に当たるまでは、ロール紙ホルダ１２は移動しない。
【００３９】
スライドピン６４、６５がスライド穴７１ｂ、７２ｂの後端に当たった後は、開閉蓋ユニット３の開き動作に連動して、左右のリンクレバー７１、７２によってスライドピン６４、６５が前方に引かれる。これらのスライドピン６４、６５が取り付けられているロール紙ホルダ１２は、その前端の支軸６１を中心として旋回可能であるので、開閉蓋ユニット３の開き動作に連動して、支軸６１を中心として、前方に旋回する。
【００４０】
図３、図７に示すように、開閉蓋ユニット３が開位置３Ｂに到る全開状態では、ロール紙ホルダ１２が所定角度だけ傾斜した送り出し姿勢１２Ｂとなる。このように、ロール紙収納部９のロール紙ホルダ１２は開閉蓋ユニット３の開き動作に連動して元のほぼ水平な収納姿勢１２Ａから前傾した送り出し姿勢１２Ｂに切り換わる。ロール紙ホルダ１２の底板部分１２ａにロール紙１０が載っていると、ロール紙１０は自重によって前傾姿勢の底板部分１２ａを転動して、前方に送り出される。例えば、図７に想像線で示すように残り少なくなったロール紙１０Ａは矢印で示すように前方に送り出される。この結果、前側から簡単にロール紙１０Ａを取り出すことができる。
【００４１】
また、開閉蓋ユニット３は、ロール紙ホルダ１２が旋回を開始した後は、左右のリンクレバー７１、７２を介して、左右の引張りコイルばね６６、６７によって後方に引張られた状態になる。したがって、引張りコイルばね６６、６７の引張り力によって開閉蓋ユニット３が勢い良く開いてしまうことが防止され、プリンタ設置面などに開閉蓋ユニット３が勢い良く衝突して破損してしまうなどの弊害を回避できる。
【００４２】
次に、開閉蓋ユニット３を閉じると、これに連動して、左右のリンクレバー７１、７２も後方に移動する。よって、ロール紙ホルダ１２の左右のスライドピン６４、６５に作用していた前方への引張り力が解除され、コイルばね６６、６７のばね力によって、底板１２は元のほぼ水平な姿勢１２Ａに戻る。この結果、ロール紙ホルダ１２に載っているロール紙１０は予め定められた所定の位置に収納された状態になる。
【００４３】
なお、本例では、リンクレバー７１、７２によってロール紙送り出し機構を形成している。ロール紙送り出し機構としては、別の構成を採用することも可能である。例えば、開閉蓋ユニット３の開閉に連動して、ロール紙収納部９のロール紙ホルダ１２を前後にスライドさせるようにしたロール紙送り機構を採用することもできる。または、ロール紙ホルダは固定状態としておき、別の部材を開閉蓋ユニット３に連動させて前後に移動させる機構でもよい。
【図面の簡単な説明】
【００４４】
【図１】本発明を適用したロール紙プリンタの外観斜視図である。
【図２】ロール紙プリンタの開閉蓋を開けた状態での外観斜視図である。
【図３】ロール紙プリンタの内部構造を示す概略構成図である。
【図４】開閉蓋ユニットの開状態のロール紙プリンタの内部構造を示す概略構成図である。
【図５】ロール紙プリンタの本体ケースおよび開閉蓋を取り外した状態のロール紙プリンタの側面図である。
【図６】内部構造を示すために図５における一方の側板を省略した状態のロール紙プリンタの斜視図および側面図である。
【図７】開閉蓋ユニットを開けた状態の斜視図および側面図である。
【符号の説明】
【００４５】
１  ロール紙プリンタ、２  プリンタ本体、３  開閉蓋ユニット、３Ａ  閉位置、３Ｂ  開位置、５  記録紙排出口、６  本体ケース、７  開閉蓋ケース、９  ロール紙収納部、１０，１０Ａ  ロール紙、１２  ロール紙ホルダ、１２ａ  底板部分、１２ｂ  背板部分、１２ｃ，１２ｄ  側板部分、１２Ａ  収納姿勢、１２Ｂ  送り出し姿勢、１３  天板、１４  前板、１５  プラテンローラ、１６  サーマルヘッド、２５  保持ローラ、６１  支軸、６２，６３  側板部分、６４，６５  スライドピン、６６，６７  引張りコイルばね、６８，６９  支持ピン、７１，７２  リンクレバー、７１ｂ，７２ｂ  スライド穴、７３，７４  ガイド穴
【図１】
0004830416.tif 000002
【図２】
0004830416.tif 000003
【図３】
0004830416.tif 000004
【図４】
0004830416.tif 000005
【図５】
0004830416.tif 000006
【図６】
0004830416.tif 000007
【図７】
0004830416.tif 000008